【事件の表示】
　特願２０１３−５４３９７３「プレイスシフト（ｐｌａｃｅｓｈｉｆｔｉｎｇ）を用いたメディアコンテンツへの分散アクセスのためのシステム及び方法」拒絶査定不服審判事件〔平成２４年　６月２１日国際公開、ＷＯ２０１２／０８１０３０、平成２６年　３月１３日国内公表、特表２０１４−５０６４０８〕について、次のとおり審決する。
【結　論】
　本件審判の請求は、成り立たない。
【理　由】
第１　経緯  
１．手続　
　本願は、２０１０年（平成２２年）１２月１４日を国際出願日とする出願であって、手続の概要は以下のとおりである。
　
拒絶理由通知　　　　　　　：平成２６年　７月１７日（起案日）
手続補正　　　　　　　　　：平成２６年１２月１９日
拒絶査定　　　　　　　　　：平成２７年　３月１６日（起案日）
拒絶査定不服審判請求　　　：平成２７年　７月　８日
手続補正　　　　　　　　　：平成２７年　７月　８日
前置審査報告　　　　　　　：平成２７年　９月２８日
上申書　　　　　　　　　　：平成２７年１０月２６日
　
２．査定
　原審での査定の理由は、概略、以下のとおりである。
　
　本願の各請求項に係る発明（平成２６年１２月１９日付け手続補正書による）は、下記刊行物に記載された発明および周知技術に基づいて当業者が容易に発明をすることができたものであるから、特許法第２９条第２項の規定により、特許を受けることができない。
　　　　　記　
刊行物１：特開２００５−４５６２７号公報
刊行物２：特開平７−１５４３４９号公報
刊行物３：特開２００５−２５２３２５号公報
刊行物４：亀井  聡  Satoshi  KAMEI，Ｐ２Ｐトラヒックエンジニアリング機構の提案と評価  Evaluation of Traffic Engineering Mechanism for Peer-to-Peer Applications，電子情報通信学会技術研究報告  Ｖｏｌ．１０９  Ｎｏ．８６  IEICE Technical Report，日本，社団法人電子情報通信学会  The Institute of Electronics,Information and Communication Engineers，２００６年　６月１１日，第109巻
　
第２　補正却下の決定 
　平成２７年７月８日付けの手続補正（以下、「本件補正」という。）について次のとおり決定する。 
　　
《結論》
　平成２７年７月８日付けの手続補正を却下する。
 　
《理由》
１．本件補正の内容
　本件補正は、補正前の請求項１の記載を、以下のように、補正後の請求項１の記載とする補正事項を含むものである。
　
（補正前の請求項１）
　　【請求項１】
　クライアント装置のユーザーが、ネットワークを介して、要求されたコンテンツを取得できる、サーバーによって実行可能な方法であって、前記方法が、
　前記サーバーにおいて、前記ネットワークを介して、複数のプレイスシフトシステムの各々から視聴可能なローカルコンテンツのリストを受信することと、
　前記サーバーによって、前記複数のプレイスシフトシステムの各々において視聴可能な前記ローカルコンテンツのデータベースを保持することと、
　前記クライアント装置の前記ユーザーからの前記要求されたコンテンツの要求を、前記ネットワークを介して前記サーバーにおいて受信することと、
　前記データベースから、前記要求されたコンテンツに対応するローカルコンテンツを有する前記プレイスシフトシステムの１つを特定することと、
　前記クライアント装置と前記プレイスシフトシステムとのプロキシを介在させた、あるいは、前記サーバーが介在した接続を、視聴者に関する追加的情報を要求することなく促進して、前記クライアント装置が前記ネットワークを介して前記プレイスシフトシステムから前記要求されたコンテンツを取得できるようにすることを含むことを特徴とする方法。
　
（補正後の請求項１）
　　【請求項１】
　クライアント装置のユーザーが、ネットワークを介して、要求されたコンテンツを取得できる、サーバーによって実行可能な方法であって、前記方法が、
　前記サーバーにおいて、前記ネットワークを介して、複数のプレイスシフトシステムの各々から視聴可能なローカルコンテンツのリストを受信することと、
　前記サーバーによって、前記複数のプレイスシフトシステムの各々において視聴可能な前記ローカルコンテンツのデータベースを保持することと、
　前記クライアント装置の前記ユーザーからの前記要求されたコンテンツの要求を、前記ネットワークを介して前記サーバーにおいて受信することと、
　前記データベースから、前記要求されたコンテンツに対応するローカルコンテンツを有する前記プレイスシフトシステムの１つを特定することと、
　前記クライアント装置と前記プレイスシフトシステムとのプロキシを介在させた、あるいは、前記サーバーが介在した接続を、ユーザーの認証後、共有接続を認証するプレイスシフトシステムに許可メッセージを与えることにより視聴者に関する追加的情報を要求することなく、前記サーバーにおける信頼に基づいて接続を確実に行うことを認めて、促進して、前記クライアント装置が前記ネットワークを介して前記プレイスシフトシステムから前記要求されたコンテンツを取得できるようにすることを含むことを特徴とする方法。　
　
２．本件補正の適合性 
（２−１）補正の範囲  
　上記補正事項は、願書に最初に添付した明細書又は図面に記載した事項の範囲内においてする補正である。
  
（２−２）補正の目的  
　上記補正事項は、補正前の請求項１における「前記サーバーが介在した接続を、視聴者に関する追加的情報を要求することなく促進」する構成に関して、「前記サーバーが介在した接続を、
ユーザーの認証後、共有接続を認証するプレイスシフトシステムに許可メッセージを与えることにより
前記サーバーにおける信頼に基づいて接続を確実に行うことを認めて、
　
（２−３）独立特許要件  
　本件補正は、特許請求の範囲の減縮を目的とする補正事項を含むものであるから、以下、独立特許要件について検討する。  
　
（ア）補正後発明 
　本件補正後の請求項１に係る発明（以下「補正後発明」という。）は、以下のとおりである。
（（Ａ）ないし（Ｆ）は当審において付与した。以下「構成要件（Ａ）」等として引用する。）
　
　　【請求項１】
（Ａ）クライアント装置のユーザーが、ネットワークを介して、要求されたコンテンツを取得できる、サーバーによって実行可能な方法であって、前記方法が、
（Ｂ）前記サーバーにおいて、前記ネットワークを介して、複数のプレイスシフトシステムの各々から視聴可能なローカルコンテンツのリストを受信することと、
（Ｃ）前記サーバーによって、前記複数のプレイスシフトシステムの各々において視聴可能な前記ローカルコンテンツのデータベースを保持することと、
（Ｄ）前記クライアント装置の前記ユーザーからの前記要求されたコンテンツの要求を、前記ネットワークを介して前記サーバーにおいて受信することと、
（Ｅ）前記データベースから、前記要求されたコンテンツに対応するローカルコンテンツを有する前記プレイスシフトシステムの１つを特定することと、
（Ｆ）前記クライアント装置と前記プレイスシフトシステムとのプロキシを介在させた、あるいは、前記サーバーが介在した接続を、ユーザーの認証後、共有接続を認証するプレイスシフトシステムに許可メッセージを与えることにより視聴者に関する追加的情報を要求することなく、前記サーバーにおける信頼に基づいて接続を確実に行うことを認めて、促進して、前記クライアント装置が前記ネットワークを介して前記プレイスシフトシステムから前記要求されたコンテンツを取得できるようにすることを含むことを特徴とする方法。
　
（イ）引用刊行物の記載 
　原査定の拒絶の理由に引用された刊行物である特開２００５−４５６２７号公報（以下「刊行物１」という。）には、図面と共に次に掲げる事項が記載されている。
　
【０００１】
　この発明は、例えば音楽や映像などの放送番組コンテンツを、ユーザに有償あるいは無償で提供する際に適用して好適な放送番組コンテンツ管理システムおよび放送番組コンテンツ管理配信方法に関する。
　
【００１７】
　以下、この発明による放送番組コンテンツ管理配信システムおよび放送番組コンテンツ管理配信方法の実施形態を、図を参照しながら説明する。以下に説明する実施形態は、放送番組コンテンツが、デジタルテレビ放送の放送番組コンテンツの場合の例である。デジタルテレビ放送番組の記録は、以下の説明においては、録画と称する。
【００１８】
　以下に説明する実施形態においては、図２に示すように、ユーザは、コンテンツ管理会社１に対して会員登録することにより会員ユーザ２となる。会員登録の際には、会員ユーザの氏名、電話番号、住所などの個人情報のほか、課金処理のための情報、例えば銀行口座、クレジットカード番号等が登録され、それらが、コンテンツ管理会社１が運営するサーバ装置１の会員情報管理メモリ１０１に格納されて、管理される。
【００１９】
　そして、ユーザは、会員ユーザ２となると、コンテンツ管理会社１から、専用端末装置（以下、会員端末装置という）２００の提供を、有償あるいは無料で受ける。この実施形態では、会員端末装置２００に電源が投入されると、会員端末装置２００は、後述する図１および図３に示すように、サーバ装置１００に対して、ネットワーク３を通じて接続され、使用可能となる。
【００２０】
　会員端末装置２００は、コンテンツ格納部２０１とデジタル放送受信機部２０２とを備えている。デジタル放送受信機部２０２は、デジタルテレビ放送を受信する機能を備える。この例では、会員端末装置２００は、デジタル放送受信機部２０２で受信した放送番組コンテンツを、コンテンツ格納部２０１に格納して録画することができる。
【００２１】
　また、会員端末装置２００は、タイマー機能を備え、放送番組コンテンツを、予約録画することができる機能を備えている。そして、会員端末装置２００は、放送番組コンテンツをコンテンツ格納部２０１に格納して録画したときには、後述するように、当該録画をサーバ装置１００にネットワーク３を通じて報告するように構成されている。この録画の報告は、予約録画のときのみではなく、リモコン送信機などを通じたユーザの録画指示による録画をしたときにも同様になされる。
【００２２】
　コンテンツ格納部２０１には、デジタル放送受信機部２０２で受信した放送番組コンテンツの実体データ（以下、単に放送番組コンテンツデータという）と、当該コンテンツ格納部２０１に格納されている放送番組コンテンツに関する情報とが、合わせて格納されている。この放送番組コンテンツに関する情報としては、後述するように、コンテンツ識別情報（コンテンツＩＤ（Ｉｄｅｎｔｉｆｉｃａｔｉｏｎ））に関連して、各放送番組コンテンツごとに、放送年月日、放送時間などの情報などが記憶される。
　
【００２４】
　サーバ装置１００は、すべての会員端末装置２００のコンテンツ格納部２０１に格納されている放送番組コンテンツのデータを、当該コンテンツのデータを格納する会員端末装置との対応と共に記憶して管理するコンテンツ所在管理メモリ部１０２を備える。すなわち、コンテンツ所在管理メモリ部１０２には、少なくとも、放送番組コンテンツの識別情報と、前記放送番組コンテンツのそれぞれがコンテンツ格納部２０１に格納されている前記会員端末装置の識別情報との対応が記憶される。
【００２５】
　この実施形態では、会員端末装置２００は、新たに放送番組コンテンツのデータをコンテンツ格納部２０１に格納したとき、また、コンテンツ格納部２０１から放送番組コンテンツのデータを削除したとき、そのことをサーバ装置１００にネットワーク３を通じて通知する。サーバ装置１００は、当該会員端末装置２００からの通知に基づく会員端末装置２００のコンテンツ格納部２０１の内容変化に対応して、コンテンツ所在管理メモリ部１０２の内容を更新するように構成されている。
　
【００３２】
　そこで、会員ユーザは、この過去の放送番組コンテンツであって、共有領域３００にある視聴可能な放送番組コンテンツを、サーバ装置に視聴要求（転送依頼）することにより、当該過去の放送番組コンテンツを視聴することが可能になる。この場合に、この実施形態では、サーバ装置１００は、転送依頼された放送番組コンテンツのデータを、当該コンテンツデータを所有する会員端末装置２００から吸い上げて、転送依頼してきた会員端末装置２００に転送するのではなく、前記転送依頼された放送番組コンテンツを所有する会員端末装置２００から、転送依頼を行なった会員端末装置２００にＰ２Ｐ配信させるようにする。
　
【００５０】
　会員端末装置２００Ａは、コンテンツ管理会社１のサーバ装置１００から提供される過去の放送番組コンテンツの一覧あるいは未来の放送番組コンテンツの一覧から転送を希望する、あるいは転送を予約する放送番組コンテンツを選択し、当該選択した放送番組コンテンツの転送配信依頼をネットワーク３を通じてサーバ装置１００に送る。
【００５１】
　サーバ装置１００は、この放送番組コンテンツの転送依頼を受け取ると、それが過去の放送番組コンテンツであるときには、次のようにする。
【００５２】
　すなわち、先ず、コンテンツ所在管理メモリ部１０２を検索して、転送依頼されたコンテンツがどの会員端末装置にあるかを検知する。転送依頼されたコンテンツを所有する端末が複数検知されたときには、例えばランダムに一つの会員端末装置が選択される。あるいは、データ品質の良いコンテンツデータを格納している会員端末装置が選択される。図３の例では、転送依頼されたコンテンツが会員端末装置２００Ｂに在ったとする。なお、これに先立ち、会員端末装置２００は、サーバ装置１００に対して放送番組コンテンツの録画について報告をしており、サーバ装置１００は、この報告に基づいてコンテンツ所在管理メモリ部１０２の記憶内容を更新している。
【００５３】
　次に、サーバ装置１００は、転送依頼された放送番組コンテンツを所有する当該会員端末装置２００Ｂに、転送依頼された放送番組コンテンツを、会員端末装置２００Ａに送るようにすることを指示内容とするコンテンツ配信送信指示制御信号を、ネットワーク３を通じて送る。
【００５４】
　このコンテンツ配信送信指示制御信号を受け取った会員端末装置２００Ｂは、当該コンテンツ配信送信指示制御信号に基づき、自己のコンテンツ格納部２０１から転送依頼された放送番組コンテンツデータを読み出し、会員端末装置２００Ａに送信する。
【００５５】
　会員端末装置２００Ａは、会員端末装置２００Ｂから送信されてきた転送依頼した放送番組コンテンツデータを受け取り、そのままストリーミング再生する、あるいは、自己のコンテンツ格納部２０１に格納し、ユーザの指示により読み出して再生する。
【００５６】
　そして、この実施形態では、会員端末装置２００Ｂは、会員端末装置２００Ａへのコンテンツデータの送信の完了を確認すると、当該コンテンツ送信完了を会員端末装置２００に通知すると共に、サーバ装置１００にネットワーク３を通じて通知する。
【００５７】
　この通知を受け取ったサーバ装置１００は、会員端末装置２００Ａを所有する会員に対して当該コンテンツの配信についての課金処理を行なうと共に、会員端末装置２００Ｂを所有する会員に対しては、コンテンツ配信の手数料を還元する。
【００５８】
　以上のように、この実施形態では、コンテンツの配信に対して課金することは従来と同様であるが、コンテンツの配信が、会員端末装置から行なわれる場合には、当該配信を行なった会員端末装置を所有する会員に、その配信の手数料を還元するようにすることにより、実質的なコンテンツ配信に対する課金の料金を低廉化することが可能になる。
　
【００６６】
　[サーバ装置のハードウエア構成例]
　図４は、サーバ装置１００のハードウエア構成の例を示すブロック図であり、この実施形態では、パーソナルコンピュータからなる構成とされている。すなわち、図４に示すように、サーバ装置１００は、ＣＰＵ１１０に対して、システムバス１１１を介してプログラムＲＯＭ(Ｒｅａｄ  Ｏｎｌｙ  Ｍｅｍｏｒｙ)１１２と、ワークエリアＲＡＭ(Ｒａｎｄｏｍ  Ａｃｃｅｓｓ  Ｍｅｍｏｒｙ)１１３と、通信インターフェース部１１４と、会員情報管理メモリ部１０１と、コンテンツ所在管理メモリ部１０２と、会員端末装置情報管理メモリ部１０３と、コンテンツ格納部１０４と、予約管理メモリ部１０５と、電子番組表（ＥＰＧ（Ｅｌｅｃｔｒｏｎｉｃ  Ｐｒｏｇｒａｍｍｉｎｇ  Ｇｕｉｄｅ））作成部１０６とが接続されて構成されている。
 　
【００７１】
　コンテンツ所在管理メモリ部１０２は、前述したように、サーバ装置１００に接続されるすべての会員端末装置２００に格納されている放送番組コンテンツに関する、コンテンツ所在情報を記憶している。すなわち、放送番組コンテンツの識別情報および放送番組コンテンツ名等を含む放送番組コンテンツに関する情報と、当該放送番組コンテンツの識別情報で識別される放送番組コンテンツのデータが格納されている場所（コンテンツ所在地）との対応情報が、コンテンツ所在情報としてコンテンツ所在管理メモリ部１０２に記憶されている。
【００７２】
　前記コンテンツ所在地としては、放送番組コンテンツのデータが格納されている会員端末装置２００の会員端末装置識別情報（以下、会員端末装置ＩＤという）またはサーバ内コンテンツ格納部１０４を示す識別情報（例えばサーバ装置識別情報（サーバ装置ＩＤ））が記憶される。
　
【００８４】
　転送予約依頼の情報としては、サーバ装置１００に当該コンテンツＩＤで示される放送番組コンテンツを対象として転送予約依頼が送出されてきた会員端末装置２００の台数と、当該転送予約依頼を送出した会員端末装置の会員端末装置ＩＤ（台数分）とが記憶される。
【００８５】
　予約配信待ち行列は、当該コンテンツＩＤで示される放送番組コンテンツを、転送依頼あるいは転送予約依頼してきた会員端末装置２００にＰ２Ｐ配信するための待ち行列であり、配信を受ける会員端末装置の会員端末装置ＩＤが記憶される。放送番組コンテンツが過去の放送番組コンテンツであるときには、この予約配信待ち行列のみとなる場合がある。
【００８６】
　予約配信待ち行列に含まれる会員端末装置は、過去の放送番組コンテンツについて転送依頼した会員端末装置のみではない。転送予約依頼した放送番組コンテンツの録画が終了したら、当該録画が終了した会員端末装置２００からの配信を受ける転送予約依頼した会員端末装置の会員端末装置ＩＤが、この予約配信待ち行列に記憶される。なお、この実施形態の説明においては、転送依頼に基づく配信待ち行列と、転送予約依頼に基づく配信待ち行列は、一つの待ち行列として扱うようにしているが、それぞれ別々に管理するようにしても良い。
【００８７】
　この予約配信待ち行列においては、その一番上にある会員端末装置ＩＤで示される会員端末装置２００へのＰ２Ｐ配信が最優先となり、そして、その一番上にある会員端末装置ＩＤで示される会員端末装置２００へのＰ２Ｐ配信が完了すると、それが削除されると共に、順次に上詰される。また、新たに、発生したＰ２Ｐ配信依頼は、予約配信待ち行列の一番最後尾に書き込まれる。
　
【０１０９】
　［コンテンツ管理システムの動作説明］
　  ＜会員登録時の処理手順＞
　図１１に、会員登録時の手順を示す。先ず、会員になろうとするユーザは、コンテンツ提供会社と会員契約をする（手順Ｓ１）。この会員契約の際には、会員となるユーザの氏名、住所などのユーザを特定するための情報の他、前述したような課金処理のための銀行口座やクレジット番号等の情報が収集される。そして、それらの情報を、例えばサーバ装置１００のＲＡＭ１１３に保持しておく。会員となったユーザには、サーバ装置１００に接続するときに入力する必要があるユーザＩＤとパスワードが渡される。
【０１１０】
　この会員契約が完了すると、コンテンツ提供会社は、会員ユーザに提供する会員端末装置２００を用意し、当該会員端末装置２００のコンテンツ格納部２０１の書き込み領域を、共有利用エリアと、非共有利用エリアとに分ける（手順Ｓ２）。なお、会員ユーザが希望する場合には、コンテンツ格納部２０１の書き込み領域のすべてを共有利用エリアとするようにすることもできる。
【０１１１】
　次に、コンテンツ提供会社は、以上のようにして、会員端末装置２００を、会員ユーザに、郵送によりあるいは手渡しなどにより実際に提供する（手順Ｓ３）。
【０１１２】
　会員端末装置２００の提供を受けた会員ユーザは、例えば自宅において、当該会員端末装置２００の主電源をオンにして、使用を開始するようにする。すると、会員端末装置２００のＣＰＵ２１０は、サーバ装置１００にネットワークを通じて接続のアクセス処理を実行する（手順Ｓ４）。この実施形態では、会員端末装置２００は、主電源が投入されている間（電源オンの状態とサスペンドモードの状態とを含む）は、サーバ装置１００に常時接続されている。なお、この例においては、ネットワークを通じた通信料金は、例えば月単位の一定料金とされるが、これに限られるものではない。
【０１１３】
　コンテンツ提供会社のサーバ装置１００は、当該会員端末装置２００がネットワークを通じて初めてサーバ装置１００に接続されたことを確認すると（手順Ｓ５）、ＲＡＭ１１３に保持していた会員となるユーザの氏名、住所などのユーザを特定するための情報の他、前述したような課金処理のための銀行口座やクレジット番号等の情報をサーバ装置１００の会員情報管理メモリ部１０１に格納して、会員情報の登録をする（手順７）。
【０１１４】
　以上により、会員登録のすべての処理が完了する。すなわち、この実施形態では、契約した後の、会員端末装置２００からのサーバ装置１００への最初のアクセスにより、会員登録が完了する。
　
【０１３４】
　＜会員端末装置２００の処理動作＞
　次に、会員端末装置２００の処理動作について、図１３〜図３０を参照して説明する。以下に説明するフローチャートの各ステップの処理は、主として、会員端末装置２００のＣＰＵ２１０により実行される。
【０１３５】
　図１３〜図２１は、会員端末装置２００に電源がオン状態であるときに実行される処理を説明するためのフローチャートである。すなわち、キー入力操作部２２７の主電源スイッチを通じた電源オフから電源オンへの操作入力、あるいはリモコン送信機２２８の常用電源スイッチを通じた電源オフから電源オンへの操作入力があったと、会員端末装置２００のＣＰＵ２１０が判別したときには、ＣＰＵ２１０は、図１３のスタートから処理を開始し、会員端末装置２００の初期化処理を行なう（ステップＳ１１）。
【０１３６】
　そして、ＣＰＵ２１０は、サーバ装置１００に接続アクセスを行なうように制御し（ステップＳ１２）、サーバ装置１００からの認証結果を待つ（ステップＳ１３）。ステップＳ１３において、サーバ装置１００から認証承認の認証結果が得られなかったと判別したときには、ＣＰＵ２１０は、認証できなかったことをディスプレイ２２６の画面に表示して、ユーザに報知する（ステップＳ１４）。認証できなかったことに対する対処方法としては、種々の方法があるが、ここではその説明を省略する。
【０１３７】
　ステップＳ１３において、サーバ装置１００から認証承認の認証結果が得られたと判別したときには、ＣＰＵ２１０は、コンテンツ格納部２０１に格納されているコンテンツの関連情報をサーバ装置１００に送信する（ステップＳ１５）。次に、ＣＰＵ２１０は、当該会員端末装置２００が備える機能の一覧メニューを表示するように制御し（ステップＳ１６）、ユーザによる当該機能一覧メニューからの機能選択操作を待つ（ステップＳ１７）。
　
【０１７７】
　また、図１６のステップＳ６１で、録画予約／転送予約依頼モードの選択ではないと判別したときには、ＣＰＵ２１０は、過去の放送番組の転送の依頼である転送依頼モードであるか否か判別し（図１８のステップＳ９１）、転送依頼モードであると判別したときには、転送依頼モードをサーバ装置１００に通知する（ステップＳ９２）。
【０１７８】
　この通知を受け取ったサーバ装置１００は、当該転送依頼モードに応じた過去の放送番組の転送予約用電子番組表を生成して、送ってくる。そこで、会員端末装置２００は、この転送依頼モード用の電子番組表を受信し、この電子番組表のビデオデータをＩ／Ｏポート２１５を通じてモニター装置２２５に供給して、当該電子番組表をモニター装置２２５の画面に表示するようにする（ステップＳ９３）。
【０１７９】
　この転送依頼モード用の電子番組表の表示例を図２３に示す。この電子番組表は、当日および過去の放送番組を表示するものである。図２３において、各放送番組の欄において、「視聴不可」と表示されている放送番組は、録画されていない放送番組を示している。つまり、共有領域３００に、当該放送番組コンテンツのデータが存在していないことを示している。
【０１８０】
　また、各放送番組欄において、「視聴可能」と表示されている放送番組は、共有領域３００内のいずれかの会員端末装置２００のコンテンツ格納部２０１に当該放送番組コンテンツのデータが格納されていることを示している。
【０１８１】
　そして、当該「視聴可能」の放送番組欄の中において、四角で囲まれて示されている「直ぐに視聴」表示１３は、転送依頼に当たって、その受信再生態様として、ストリーミング再生を選択する場合のアイコンボタンと同等の役割をする。また、同様に、四角で囲まれて示されている「予約」表示１４は、転送依頼した放送番組コンテンツのデータを、配信時にはストリーミング再生せずに、コンテンツ格納部２０１に格納して、後日、再生して視聴する場合に選択するアイコンボタンと同等の役割をするものである。
【０１８２】
　なお、「直ぐに視聴」表示１３に×印が付加されている放送番組は、当該放送番組コンテンツを格納している会員端末装置２００が使用不可状態にあって、ストリーミング再生が不可であることを示しており、この場合の「直ぐに視聴」表示１３は選択できない。
【０１８３】
　したがって、「直ぐに視聴」表示１３に×印が付加されている放送番組における「予約」表示１４は、現時点では、当該放送番組コンテンツを格納している会員端末装置２００が使用不可の状態にあってストリーミング再生はできないが、予約により後の時点に配信されて視聴可能になることを意味していることになる。
【０１８４】
　会員ユーザが、例えばリモコン送信機２２８のカーソルキーを操作して、希望する放送番組欄の「直ぐに視聴」表示１３を選択するように操作すると、当該放送番組欄に示されている放送番組コンテンツのストリーミング再生による転送依頼の指定ができる。また、会員ユーザが、希望する放送番組欄の「予約」表示１４を選択するように操作すると、当該放送番組欄に示されている放送番組コンテンツの後時点の転送依頼を指定することができる。
【０１８５】
　後時点の転送依頼に対するＰ２Ｐ配信の時期は、この実施形態ではサーバ装置１００により任意に定められ、会員ユーザは、その配信時点を事前に知ることはできない。しかし、当該放送番組コンテンツのデータが、コンテンツ格納部２０１に格納されたときには、そのことが会員端末装置２００により会員ユーザに知らされる。
【０１８６】
　以上のようにして、図２３に示したような電子番組表を通じて会員ユーザは、希望する放送番組のストリーミング再生による転送依頼または後時点転送依頼をする。そこで、ＣＰＵ２１０は、「直ぐに視聴」表示１３または「予約」表示１４が選択操作されることにより、転送依頼される放送番組の選択がなされたか否か判別し（ステップＳ９４）、予約される放送番組の選択がなされていないと判別したときには、当該録画予約／転送予約依頼モードの終了の操作がなされたか否か判別する（ステップＳ９５）。
　
【０２１６】
　次に、転送依頼あるいは転送予約依頼した放送番組コンテンツを、他の会員端末装置２００から受信する場合の処理ルーチンを、図２５のフローチャートを参照して説明する。
【０２１７】
　先ず、会員端末装置２００は、コンテンツのＰ２Ｐ配信の受信待機状態となっている（ステップＳ１６１）。この状態において、ＣＰＵ２１０は、他の会員端末装置２００からのアクセスを受信したかどうかを監視する（ステップＳ１６２）。
【０２１８】
　そして、ステップＳ１６２で、他の会員端末装置２００からのアクセスを受信したと判別したときには、ＣＰＵ２１０は、当該他の会員端末装置２００との間の通信路を形成し（ステップＳ１６３）、配信されてくるコンテンツがどの放送番組コンテンツであるかを認識する（ステップＳ１６４）。
【０２１９】
　そして、ＣＰＵ２１０は、ＲＡＭ２１３の記憶内容に基づいて、当該放送番組コンテンツについて指定されている視聴形態は、ストリーミング再生であるか否か判別し（ステップＳ１６５）、ストリーミング再生であると判別したときには、コンテンツデータを受信し、暗号化を暗号化デコード部２０３によりデコードする（ステップＳ１６６）。次に、コンテンツデータデコード部２０４により、当該コンテンツデータをデコードし（ステップＳ１６７）、そのデコードデータをＩ／Ｏポート２１５から送出するように制御して、再生出力しストリーミング再生する（ステップＳ１６８）。
【０２２０】
　次に、コンテンツデータの再生が終了したか否かを配信コンテンツデータの終了により判別し（ステップＳ１６９）、再生が終了したと判別したときには、他の会員端末装置２００との通信路を切断して（ステップＳ１７０）、この処理ルーチンを終了する。
【０２２１】
　ステップＳ１６５で、視聴形態がストリーミング再生ではなく、後時点配信であったときには、受信したコンテンツデータをコンテンツ格納部２０１の共有利用エリアに格納する（図２６のステップＳ１７１）。そして、このコンテンツ格納部２０１への格納を、コンテンツ配信完了通知が他の会員端末装置２００から到来するまで（ステップＳ１７２）、繰り返す。
【０２２２】
　ステップＳ１７２で、コンテンツ配信完了通知が他の会員端末装置２００から到来したと判別したときには、ＣＰＵ２１０は、コンテンツ格納部２０１へのコンテンツデータの格納を停止し（ステップＳ１７３）、他の会員端末装置２００との通信路を切断する（ステップＳ１７４）。
【０２２３】
　そして、転送予約依頼した放送番組コンテンツ、あるいは転送依頼した放送番組コンテンツが、再生可能になったことを、例えばモニター装置２２５の画面やディスプレイ２２６の画面に表示させて、会員ユーザに通知する（ステップＳ１７５）。そして、コンテンツ格納後タイマーをスタートさせ（ステップＳ１７６）、この処理ルーチンを終了する。　
 【０２３１】
　＜会員端末装置におけるサーバ装置１００からの制御指示受信時の処理＞
　会員端末装置２００のＣＰＵ２１０は、電源オン状態のときには、直接的にサーバ装置１００からコンテンツ配信送信指示の制御信号を受信し、サスペンド状態のときには、前述したように、サブプロセッサ２３０を介して、サーバ装置１００からコンテンツ配信送信指示の制御信号を受信する。
【０２３２】
　図２８は、会員端末装置２００のＣＰＵ２１０が、サーバ装置１００からコンテンツ配信送信指示の制御信号を受けた時の処理ルーチンの一例を示すフローチャートである。
【０２３３】
　すなわち、ＣＰＵ２１０は、サーバ装置１００からコンテンツ配信送信指示の制御信号を受けたか否か判別し（ステップＳ１９１）、受けたことを確認すると、コンテンツ配信送信指示の受信確認をサーバ装置１００に返信する（ステップＳ１９２）。ここで、コンテンツ配信送信指示には、配信送信すべきコンテンツのＩＤと、配信送信すべき会員端末装置のネットワークアドレスとが含まれる。
【０２３４】
　次に、ＣＰＵ２１０は、当該コンテンツ配信送信指示により、コンテンツを送信するように指定された会員端末装置２００に対して、前記受信したネットワークアドレスを用いてアクセスする（ステップＳ１９３）。
【０２３５】
　そして、ＣＰＵ２１０は、このアクセスに相手の会員端末装置２００が応答して、通信路が形成されたか否か判別し（ステップＳ１９４）、通信路の形成を確認したときには、コンテンツ配信送信指示に含まれる放送番組コンテンツのＩＤにより指定される放送番組コンテンツのデータを、コンテンツ格納部２０１から読み出して、相手会員端末装置２００に送信する（ステップＳ１９５）。
【０２３６】
　そして、ＣＰＵ２１０は、指定された放送番組コンテンツデータの送信が完了したか否か監視し（ステップＳ１９６）、送信が完了したと判別したときには、相手会員端末装置に対して、コンテンツ配信完了メッセージを送る（ステップＳ１９７）。そして、ＣＰＵ２１０は、当該相手会員端末装置との通信路を切断する（ステップＳ１９８）。そして、サーバ装置１００に、コンテンツ配信完了を通知する（ステップＳ１９９）。
　
【０２４７】
　＜サーバ装置１００における会員端末装置の接続時の処理動作＞
　次に、サーバ装置１００における会員端末装置の接続時の処理動作について、図３１のフローチャートを参照して説明する。このフローチャートの各ステップの処理は、主として、サーバ装置１００のＣＰＵ１１０により実行される。
【０２４８】
　図３１は、会員端末装置２００がネットワークを通じてアクセスしてきたときの処理ルーチンである。前述したように、会員端末装置２００は、主電源がオンとされると、そのＣＰＵ２１０の制御により、自動的にサーバ装置１００に接続のアクセスをする。
【０２４９】
　そこで、サーバ装置１００のＣＰＵ１１０は、会員端末装置２００からの接続のアクセス（接続要求）を待ち（ステップＳ２２１）、接続のアクセスがあったと判別したときには、接続アクセス時のユーザＩＤやパスワードを参照して、会員認証の処理を行なう（ステップＳ２２２）。この会員認証の結果、認証ができなかったときには、その旨（認証ＮＧ）を通知して、接続を拒否し（ステップＳ２２３）、ステップＳ２２１に戻る。
【０２５０】
　ステップＳ２２２での会員認証の結果、認証ができたときには、ＣＰＵ１１０は、会員情報管理メモリ部１０１や、会員端末装置情報管理メモリ部１０３において、接続アクセスしてきた会員端末装置２００を所有する当該会員についての管理情報が存在しているかどうかを検索する（ステップＳ２２４）。そして、ＣＰＵ１１０は、その検索結果により、サーバ装置１００への初めての接続アクセスであるか否か判別する（ステップＳ２２５）。
【０２５１】
　ステップＳ２２５で初めての接続アクセスであると判別したときには、ＣＰＵ１１０は、会員情報管理メモリ部１０１および会員端末装置情報管理メモリ部１０３に、当該アクセスしてきた会員および会員端末装置についての管理情報領域を作成し、ＲＡＭ１１３に保持していた会員情報を、会員情報管理メモリ部１０１に設けた当該会員用の管理領域に書き込むと共に、会員端末装置情報管理メモリ部１０３に設けた当該会員端末装置の管理領域内において、電源状態の情報として、電源オン状態を書き込み、また、接続アクセスの履歴を書き込む（ステップＳ２２６）。
【０２５２】
　また、ステップＳ２２５において、会員端末装置２００からの接続アクセスが初めてではないと判別したときには、ＣＰＵ１１０は、サーバ装置１００内の当該会員端末装置２００についての管理情報を確認し、会員端末装置情報管理メモリ部１０３の当該会員端末装置の管理領域内において、その電源状態の情報として、電源オンを書き込み、また、接続アクセスの履歴を書き込む。さらに、接続時に会員端末装置２００から送られてくるコンテンツ格納部２０１の記憶内容に関する情報と、コンテンツ所在管理メモリ部１０２の内容とを比較して、会員端末装置２００のコンテンツ格納部２０１の内容を正確にコンテンツ所在管理メモリ部１０２に反映させて、両者の間に齟齬がないようにする（ステップＳ２２７）。
【０２５３】
　以上で、会員端末装置２００がサーバ装置１００に接続アクセスしてきたときのサーバ装置１００の処理は終了する。前述もしたように、以後は、会員端末装置２００が電源オフ状態あるいは会員端末装置２００の電源プラグが電源コンセントに接続されていない状態とならない限り、サーバ装置１００と会員端末装置２００との接続状態が保持される。　
【０２６９】
　ステップＳ２６３において、転送依頼情報を受信したと判別したときには、ＣＰＵ１１０は、転送依頼された放送番組コンテンツを格納している会員端末装置２００を、コンテンツ所在管理メモリ部１０１において検索する（ステップＳ２６６）。
【０２７０】
　次に、ＣＰＵ１１０は、転送依頼情報に含まれる視聴形態の情報を参照し、ストリーミング再生ではなく、後時点配信の形態が指定されていると判別したときには、検索結果の配信指示を送る会員端末装置の情報を、予約管理メモリ部１０５の予約配信待ち行列に登録する（ステップＳ２６８）。
【０２７１】
　また、ステップＳ２６７において、視聴形態としてストリーミング再生が指定されていると判別したときには、ＣＰＵ１１０は、転送依頼してきた会員端末装置２００に、転送依頼された放送番組コンテンツを、即座にＰ２Ｐ配信することを通知する（図３５のステップＳ２７１）。
【０２７２】
　次に、ＣＰＵ１１０は、転送依頼された放送番組コンテンツを、Ｐ２Ｐ配信させる他の会員端末装置２００の電源状態をチェックする（ステップＳ２７２）。そして、当該他の会員端末装置２００の電源状態は、サスペンド状態であるか否か判別し（ステップＳ２７３）、サスペンド状態ではなく電源オンの状態であれば、当該他の会員端末装置２００に対して、転送依頼された放送番組コンテンツのデータを、転送依頼した会員端末装置２００にＰ２Ｐ配信させるようにする配信送信指示制御信号を送信する（ステップＳ２７６）。そして、ステップＳ２３１に戻る。
【０２７３】
　また、ステップＳ２７３で、前記他の会員端末装置２００は、サスペンド状態であると判別したときには、ＣＰＵ１１０は、当該他の会員端末装置２００にアクセスしてウエイクアップさせる（ステップＳ２７４）。そして、当該他の会員端末装置２００からの電源オンの報告を受信して、当該他の会員端末装置２００の電源オンを確認し（ステップＳ２７５）、その後、ステップＳ２７６に進み、当該他の会員端末装置２００に対して、転送依頼された放送番組コンテンツのデータを、転送依頼した会員端末装置２００にＰ２Ｐ配信させるようにする配信送信指示制御信号を送信する。そして、ステップＳ２３１に戻る。
【０２７４】
　また、ステップＳ２６１において、転送依頼モードの通知を受信しなかったと判別したときには、ＣＰＵ１１０は、配信送信指示した会員端末装置２００からのコンテンツ送信完了通知を受信したか否か判別する（図３６のステップＳ２８１）。
【０２７５】
　そして、このステップＳ２８１で、配信送信指示した会員端末装置２００からのコンテンツ送信完了通知を受信したと判別したときには、ＣＰＵ１１０は、Ｐ２Ｐによる放送番組コンテンツ配信が完了して、放送番組コンテンツの転送依頼または転送予約依頼をした会員端末装置２００のコンテンツ格納部２０１に、当該転送依頼または転送予約依頼された放送番組コンテンツのデータが追加されたと認識して、コンテンツ所在管理メモリ部１０２の、当該放送番組コンテンツについての所在情報として、放送番組コンテンツを取得した会員端末装置２００の会員端末装置ＩＤを加えることにより、コンテンツ所在管理メモリ部１０２の記憶内容を更新する（ステップＳ２８２）。
　
【０３１８】
　＜サーバ装置１００での予約配信処理＞
　前述した予約配信待ち行列にある予約配信情報に基づいて、ＣＰＵ１１０は、予約配信のための処理を行なう。図４２は、予約配信のための処理を説明するためのフローチャートである。これは、１個の予約配信情報についての処理ルーチンであり、この処理ルーチンを繰り返すものである。
【０３１９】
　先ず、ＣＰＵ１１０は、予約配信待ち行列の先頭の予約配信情報を読み出す（ステップＳ３５１）。次に、コンテンツ所在管理メモリ部１０２を参照して、予約配信情報により指定される配信対象のコンテンツデータを格納している会員端末装置を検索する（ステップＳ３５２）。
【０３２０】
　次に、ＣＰＵ１１０は、転送予約依頼を発行した会員端末装置２００に、転送予約依頼された放送番組コンテンツがＰ２Ｐ配信されてくることを通知する（ステップＳ３５３）。次に、ＣＰＵ１１０は、転送依頼された放送番組コンテンツをＰ２Ｐ配信させる他の会員端末装置２００の電源状態をチェックする（ステップＳ３５４）。
【０３２１】
　そして、当該他の会員端末装置２００の電源状態は、サスペンド状態であるか否か判別し（ステップＳ３５５）、サスペンド状態ではなく電源オンの状態であれば、当該他の会員端末装置２００に対して、転送依頼された放送番組コンテンツのデータを、転送依頼した会員端末装置２００にＰ２Ｐ配信させるようにする配信送信指示制御信号を送信する（ステップＳ３５８）。そして、この処理ルーチンを終了する。
【０３２２】
　また、ステップＳ３５５で、前記他の会員端末装置２００は、サスペンド状態であると判別したときには、ＣＰＵ１１０は、当該他の会員端末装置２００にアクセスしてウエイクアップさせる（ステップＳ３５６）。そして、当該他の会員端末装置２００からの電源オンの報告を受信して、当該他の会員端末装置２００の電源オンを確認し（ステップＳ３５７）、その後、ステップＳ３５８に進み、当該他の会員端末装置２００に対して、転送依頼された放送番組コンテンツのデータを、転送依頼した会員端末装置２００にＰ２Ｐ配信させるようにする配信送信指示制御信号を送信する。そして、この処理ルーチンを終了する。
　
（ウ）刊行物１に記載された発明 
（ウ−１）刊行物１の【０００１】の記載によれば、刊行物１には、「放送番組コンテンツ管理配信方法」が開示されている。
　上記方法は、【００１９】の記載によれば、「サーバ装置１００」と「会員端末装置２００」とからなり、上記「サーバ装置１００」と「会員端末装置２００」とはネットワーク３を通じて接続されている。
　また、刊行物１の【００３２】の記載によれば、会員ユーザは、過去の放送番組コンテンツをサーバ装置に視聴要求することにより、サーバ装置１００は、転送依頼された放送番組コンテンツのデータを、当該コンテンツデータを所有する会員端末装置２００から転送依頼を行なった会員端末装置２００にＰ２Ｐ配信させるようにすることが記載されているから、いいかえると、会員端末装置２００を所有するユーザが、サーバ装置に過去の放送番組コンテンツを視聴要求すると、サーバ１００によって、転送依頼された放送番組コンテンツのデータを所有する会員端末装置２００から、転送依頼を行なった会員端末装置２００に上記コンテンツをＰ２Ｐ配信させることが開示されているといえる。
　以上まとめると、刊行物１には、ネットワーク３を通じて接続されているサーバ装置１００と会員端末装置２００とからなり、会員端末装置２００を所有するユーザが、サーバ装置に過去の放送番組コンテンツを視聴要求すると、サーバ１００によって、転送依頼された放送番組コンテンツのデータを所有する会員端末装置２００から、転送依頼を行なった会員端末装置２００に上記コンテンツをＰ２Ｐ配信させる、放送番組コンテンツ管理配信方法が開示されている。
　
（ウ−２）刊行物１の【００２４】、【００２５】の記載によれば、刊行物１に記載された方法では、「会員端末装置２００は、新たに放送番組コンテンツのデータをコンテンツ格納部２０１に格納したとき、また、コンテンツ格納部２０１から放送番組コンテンツのデータを削除したとき、そのことをサーバ装置１００にネットワーク３を通じて通知」しているから、いいかえると、サーバ装置１００は、ネットワーク３を通じて、会員端末装置２００のコンテンツ格納部２０１にて、放送番組コンテンツのデータが、格納されたとき、あるいは、削除されたとき、そのことを受信している。
　上記「会員端末装置２００」は、「サーバ装置１００は、すべての会員端末装置２００のコンテンツ格納部２０１に格納されている放送番組コンテンツのデータを、当該コンテンツのデータを格納する会員端末装置との対応と共に記憶して管理するコンテンツ所在管理メモリ部１０２を備える。」とあるから、複数の会員端末装置２００であることは明らかである。
　したがって、刊行物１発明の方法では、サーバ装置１００は、ネットワーク３を通じて、複数の会員端末装置２００のコンテンツ格納部２０１にて、放送番組コンテンツのデータが、格納されたとき、あるいは、削除されたとき、そのことを受信している。
　
（ウ−３）刊行物１の【００２４】、【００２５】の記載によれば、刊行物１に記載された方法では、「サーバ装置１００は、すべての会員端末装置２００のコンテンツ格納部２０１に格納されている放送番組コンテンツのデータを、当該コンテンツのデータを格納する会員端末装置との対応と共に記憶して管理するコンテンツ所在管理メモリ部１０２を備え」、「サーバ装置１００は、当該会員端末装置２００からの通知に基づく会員端末装置２００のコンテンツ格納部２０１の内容変化に対応して、コンテンツ所在管理メモリ部１０２の内容を更新するように構成されている。」のであるから、サーバ装置１００が、すべての会員端末装置２００のコンテンツ格納部２０１に格納されている放送番組コンテンツのデータを記憶して管理するコンテンツ所在管理メモリ部１０２を有している。
　
（ウ−４）刊行物１の【００５０】、【００５１】の記載によれば、刊行物１に記載された方法では、会員端末装置２００Ａは、サーバ装置１００から提供される過去の放送番組コンテンツの一覧から転送を希望する放送番組コンテンツを選択し、当該選択した放送番組コンテンツの転送配信依頼をネットワーク３を通じてサーバ装置１００に送り、サーバ装置１００は上記転送配信依頼を受け取っている。
　
（ウ−５）刊行物１の【００５１】、【００５２】の記載によれば、刊行物１に記載された方法では、サーバ装置１００は、上記転送配信依頼を受け取ると、コンテンツ所在管理メモリ部１０２を検索して、転送依頼されたコンテンツがどの会員端末装置にあるかを検知し、例えば、転送依頼されたコンテンツが会員端末装置２００Ｂに在ったとき、【００５３】以下の処理を行っているから、サーバ装置１００は、上記転送配信依頼を受け取ると、コンテンツ所在管理メモリ部１０２を検索して、転送依頼されたコンテンツがどの会員端末装置にあるかを検知し、転送依頼されたコンテンツを有する会員端末装置２００Ｂを特定している。
　
（ウ−６）刊行物１の【００５２】−【００５５】の記載によれば、刊行物１に記載された方法では、サーバ装置１００は、転送依頼された放送番組コンテンツを所有する当該会員端末装置２００Ｂに、転送依頼された放送番組コンテンツを、会員端末装置２００Ａに送るようにすることを指示し、会員端末装置２００Ａは、会員端末装置２００Ｂから送信されてきた転送依頼した放送番組コンテンツデータを受け取っている。
　また、刊行物１の【０１０９】−【０１１４】、【０１３４】−【０１３７】、【０２４７】−【０２５３】の記載によれば、会員端末装置２００がネットワークを通じて接続のアクセスをしてきたとき接続アクセス時のユーザＩＤやパスワードを参照して、会員認証の処理を行なっている。そして、特に【０２５３】に「以上で、会員端末装置２００がサーバ装置１００に接続アクセスしてきたときのサーバ装置１００の処理は終了する。前述もしたように、以後は、会員端末装置２００が電源オフ状態あるいは会員端末装置２００の電源プラグが電源コンセントに接続されていない状態とならない限り、サーバ装置１００と会員端末装置２００との接続状態が保持される。」との記載があるから、接続時にサーバにより会員端末装置２００の認証が行われた後は、サーバ装置１００の指示に基づき、他の認証処理は行わずに、会員端末装置２００Ａから会員端末装置２００Ｂに転送依頼された放送番組コンテンツを送るように両端末の接続を行っていることは明らかである。
　以上まとめると、刊行物１に記載された方法では、会員端末装置２００Ａと会員端末装置２００Ｂとの接続を、サーバにより会員の認証が行われた後は他の認証処理は行わずに、サーバ装置１００の指示に基づき行い、会員端末装置２００Ａから会員端末装置２００Ｂに転送依頼された放送番組コンテンツを送るように両端末の上記接続を行うことで、会員端末装置２００Ａは、会員端末装置２００Ｂから送信されてきた転送依頼した放送番組コンテンツデータを受け取ることができることが開示されている。
　
（ウ−７）まとめ
　以上（ウ−１）ないし（ウ−６）の記載によれば、刊行物１には以下の発明（以下、刊行物１発明という。）が開示されている。
（（ａ）ないし（ｄ）は当審において付与し、以下「構成要件（ａ）」等として引用する。）
　
（ａ）ネットワーク３を通じて接続されているサーバ装置１００と会員端末装置２００（２００Ａ、２００Ｂ）とからなり、会員端末装置２００を所有するユーザが、サーバ装置１００に過去の放送番組コンテンツを視聴要求すると、サーバ装置１００によって、転送依頼された放送番組コンテンツのデータを所有する会員端末装置２００から、転送依頼を行なった会員端末装置２００に上記コンテンツをＰ２Ｐ配信させる、放送番組コンテンツ管理配信方法であって、前記方法が、
（ｂ）サーバ装置１００は、ネットワーク３を通じて、複数の会員端末装置２００のコンテンツ格納部２０１にて、放送番組コンテンツのデータが、格納されたとき、あるいは、削除されたとき、そのことを受信することと、
（ｃ）サーバ装置１００が、すべての会員端末装置２００のコンテンツ格納部２０１に格納されている放送番組コンテンツのデータを記憶して管理するコンテンツ所在管理メモリ部１０２を有し、
（ｄ）会員端末装置２００Ａは、サーバ装置１００から提供される過去の放送番組コンテンツの一覧から転送を希望する放送番組コンテンツを選択し、当該選択した放送番組コンテンツの転送配信依頼をネットワーク３を通じてサーバ装置１００に送り、サーバ装置１００は上記転送配信依頼を受け取ることと、
（ｅ）サーバ装置１００は、上記転送配信依頼を受け取ると、コンテンツ所在管理メモリ部１０２を検索して、転送依頼されたコンテンツがどの会員端末装置にあるかを検知し、転送依頼されたコンテンツを有する会員端末装置２００Ｂを特定することと、
（ｆ）会員端末装置２００Ａと会員端末装置２００Ｂとの接続を、サーバにより会員の認証が行われた後は他の認証処理は行わずに、サーバ装置１００の指示に基づき行い、会員端末装置２００Ａから会員端末装置２００Ｂに転送依頼された放送番組コンテンツを送るように両端末の上記接続を行うことで、会員端末装置２００Ａは、会員端末装置２００Ｂから送信されてきた転送依頼した放送番組コンテンツデータを受け取ることができることを含む方法。
　
（エ）対比 
　補正後発明と刊行物１発明とを対比する。 
　
（エ−１）補正後発明の構成要件（Ａ）と刊行物１発明の構成要件（ａ）とを対比する。
　刊行物１発明の「会員端末装置２００を所有するユーザ」、「ネットワーク３」、「サーバ装置１００」は、補正後発明の「クライアント装置のユーザー」、「ネットワーク」、「サーバー」に対応するものであり、刊行物１発明では、会員端末装置２００を所有するユーザが、ネットワーク３を通じて、サーバ装置１００によって、転送依頼された放送番組コンテンツのデータを配信して受け取ることができるといえる。
　したがって、刊行物１発明の方法における構成要件（ａ）は「クライアント装置のユーザーが、ネットワークを介して、要求されたコンテンツを取得できる、サーバーによって実行可能な方法」である点で、補正後発明の構成要件（Ａ）と相違がない。
　
（エ−２）補正後発明の構成要件（Ｂ）と刊行物１発明の構成要件（ｂ）とを対比する。
　刊行物１発明の「複数の会員端末装置２００のコンテンツ格納部２０１にて、放送番組コンテンツのデータが、格納されたとき、あるいは、削除されたとき」とは、複数の会員端末装置２００のコンテンツ格納部２０１において、放送番組コンテンツのデータが、格納されれば、上記コンテンツのデータが、利用（視聴）可能となったことを示し、削除されれば、上記コンテンツデータが利用（視聴）できなくなったことを示す。
　したがって、上記構成要件（ｂ）において「サーバ装置１００は、ネットワーク３を通じて、複数の会員端末装置２００のコンテンツ格納部２０１にて、放送番組コンテンツのデータが、格納されたとき、あるいは、削除されたとき、そのことを受信する」ということは、サーバ装置１００は、ネットワーク３を通じて、複数の会員端末装置２００の各々から、視聴可能なローカルコンテンツを一つ一つ通知され、上記通知を受信していることであるといえ、上記視聴可能なローカルコンテンツの一つ一つをまとめたものが、「視聴可能なローカルコンテンツのリスト」といえるから、刊行物１発明は、補正後発明の構成要件（Ｂ）を有している。
　
（エ−３）補正後発明の構成要件（Ｃ）と刊行物１発明の構成要件（ｃ）とを対比する。
　刊行物１発明の「すべての会員端末装置２００のコンテンツ格納部２０１に格納されている放送番組コンテンツのデータ」は、「前記複数のプレイスシフトシステムの各々において視聴可能な前記ローカルコンテンツのデータ」といえ、上記データを記憶して管理するコンテンツ所在管理メモリ部１０２はデータベースと称してもよいことは明らかである。
　したがって、刊行物１発明は、補正後発明の構成要件（Ｃ）を有している。
　
（エ−４）補正後発明の構成要件（Ｄ）と刊行物１発明の構成要件（ｄ）とを対比する。
　刊行物１発明の「会員端末装置２００Ａは、サーバ装置１００から提供される過去の放送番組コンテンツの一覧から転送を希望する放送番組コンテンツを選択し」の構成において、「転送を希望する放送番組コンテンツを選択」しているのは、その構成要件（ａ）の「会員端末装置２００を所有するユーザが、サーバ装置１００に過去の放送番組コンテンツを視聴要求する」ことからみても、会員端末装置２００Ａそのものではなく、会員端末装置２００Ａのユーザであることは明白である。
　そして、刊行物１発明の「会員端末装置２００Ａ」は、「サーバ装置１００から提供される過去の放送番組コンテンツの一覧から転送を希望する放送番組コンテンツを選択し、当該選択した放送番組コンテンツの転送配信依頼をネットワーク３を通じてサーバ装置１００に送」っており、補正後発明の「前記ユーザーからの前記要求されたコンテンツの要求を、前記ネットワークを介して前記サーバーにおいて受信する」際の、上記要求の送信部となっている点で、補正後発明の「前記クライアント装置」と相違がない。
　そして、刊行物１発明では、「当該選択した放送番組コンテンツの転送配信依頼をネットワーク３を通じてサーバ装置１００に送り、サーバ装置１００は上記転送配信依頼を受け取」っているから、「前記要求されたコンテンツの要求を、前記ネットワークを介して前記サーバーにおいて受信」している。
　したがって、刊行物１発明は、補正後発明の構成要件（Ｄ）を有している。
　
（エ−５）補正後発明の構成要件（Ｅ）と刊行物１発明の構成要件（ｅ）とを対比する。
　刊行物１発明の「コンテンツ所在管理メモリ部１０２」は、上記（エ−３）で検討したとおり「データベース」に相当するから、「コンテンツ所在管理メモリ部１０２を検索して、転送依頼されたコンテンツがどの会員端末装置にあるかを検知し、転送依頼されたコンテンツを有する会員端末装置２００Ｂを特定すること」は、補正後発明の「前記データベースから、前記要求されたコンテンツに対応するローカルコンテンツを有する前記プレイスシフトシステムの１つを特定すること」に相当するといえ、刊行物１発明は、補正後発明の構成要件（Ｅ）を有している。
　
（エ−６）補正後発明の構成要件（Ｆ）と刊行物１発明の構成要件（ｆ）とを対比する。
　補正後発明の「会員端末装置２００Ａ」、「会員端末装置２００Ｂ」とが、それぞれ、「前記クライアント装置」、「前記プレイスシフトシステム」に対応することは、上記（エ−４）、（エ−５）で検討したとおりである。
　そして、刊行物１発明では、会員端末装置２００Ａと会員端末装置２００Ｂとの接続を、サーバ装置１００の指示に基づき行っているから、「前記クライアント装置と前記プレイスシフトシステムとの接続を」サーバーの指示により促し（促進し）ているといえる。
　もっとも、上記接続が、補正後発明では、「プロキシを介在させた、あるいは、前記サーバーが介在した接続」であるのに対し、刊行物１発明では、これらの接続は、構成要件（ａ）にあるとおりＰ２Ｐ配信（すなわち「Ｐ２Ｐ接続」）である点で相違する。
　また、刊行物１発明では「会員端末装置２００Ａと会員端末装置２００Ｂとの接続を、サーバにより会員の認証が行われた後は他の認証処理は行わずに、サーバ装置１００の指示に基づき行」っているから、ユーザーの認証後、サーバーが上記認証をした会員端末装置２００Ａと会員端末装置２００Ｂとの接続を指示しているといえ「共有接続を認証するプレイスシフトシステムに許可メッセージを与え」ているといえる。
　上記接続に際して、刊行物１発明では「サーバにより会員の認証が行われた後は他の認証処理は行わ」ないのであるから、「視聴者に関する追加的情報を要求することなく、前記サーバーにおける信頼に基づいて接続を確実に行うことを認めて」いるといえる。
　そして、刊行物１発明では、「両端末の上記接続を行うことで、会員端末装置２００Ａは、会員端末装置２００Ｂから送信されてきた転送依頼した放送番組コンテンツデータを受け取ることができる」のであり、上記送受信は、構成要件（ａ）のネットワークを介して行われることは明らかであるから、「前記クライアント装置が前記ネットワークを介して前記プレイスシフトシステムから前記要求されたコンテンツを取得できるように」しているといえる。
　以上まとめると、刊行物１発明は、補正後発明の「前記クライアント装置と前記プレイスシフトシステムとの接続を、ユーザーの認証後、共有接続を認証するプレイスシフトシステムに許可メッセージを与えることにより視聴者に関する追加的情報を要求することなく、前記サーバーにおける信頼に基づいて接続を確実に行うことを認めて、促進して、前記クライアント装置が前記ネットワークを介して前記プレイスシフトシステムから前記要求されたコンテンツを取得できるようにすることを含むことを特徴とする方法」を有している点で補正後発明と相違がない。
　もっとも、上記接続が、補正後発明では、「プロキシを介在させた、あるいは、前記サーバーが介在した接続」であるのに対し、刊行物１発明では、これらの接続は、構成要件（ａ）にあるとおりＰ２Ｐ配信（すなわち「Ｐ２Ｐ接続」）である点で相違する。
　
（エ−７）まとめ（一致点・相違点） 
　以上まとめると、補正後発明と刊行物１発明とは以下の一致点で一致し相違点で相違する。
　
（一致点）
　クライアント装置のユーザーが、ネットワークを介して、要求されたコンテンツを取得できる、サーバーによって実行可能な方法であって、前記方法が、
　前記サーバーにおいて、前記ネットワークを介して、複数のプレイスシフトシステムの各々から視聴可能なローカルコンテンツのリストを受信することと、
　前記サーバーによって、前記複数のプレイスシフトシステムの各々において視聴可能な前記ローカルコンテンツのデータベースを保持することと、
　前記クライアント装置の前記ユーザーからの前記要求されたコンテンツの要求を、前記ネットワークを介して前記サーバーにおいて受信することと、
　前記データベースから、前記要求されたコンテンツに対応するローカルコンテンツを有する前記プレイスシフトシステムの１つを特定することと、
　前記クライアント装置と前記プレイスシフトシステムとの接続を、ユーザーの認証後、共有接続を認証するプレイスシフトシステムに許可メッセージを与えることにより視聴者に関する追加的情報を要求することなく、前記サーバーにおける信頼に基づいて接続を確実に行うことを認めて、促進して、前記クライアント装置が前記ネットワークを介して前記プレイスシフトシステムから前記要求されたコンテンツを取得できるようにすることを含むことを特徴とする方法。
　
（相違点）
　「前記クライアント装置と前記プレイスシフトシステムとの接続」が、補正後発明では、「プロキシを介在させた、あるいは、前記サーバーが介在した接続」であるのに対し、刊行物１発明では、「Ｐ２Ｐ接続」である点。
　
（オ）判断
　相違点１について検討する。
　送受信装置の間でコンテンツを送信するための接続手段として、「Ｐ２Ｐ接続」、「プロキシを介在させた接続」、「サーバーが介在した接続」は、いずれも本願出願前周知の接続手段であって、刊行物１発明の会員端末装置の間の接続手段として、これらのいずれの手段を採用するかは、当業者が適宜なしえた設計的事項であるといえる。
　そして、刊行物１の【００３２】に「そこで、会員ユーザは、この過去の放送番組コンテンツであって、共有領域３００にある視聴可能な放送番組コンテンツを、サーバ装置に視聴要求（転送依頼）することにより、当該過去の放送番組コンテンツを視聴することが可能になる。この場合に、
この実施形態では、サーバ装置１００は、転送依頼された放送番組コンテンツのデータを、当該コンテンツデータを所有する会員端末装置２００から吸い上げて、転送依頼してきた会員端末装置２００に転送するのではなく、前記転送依頼された放送番組コンテンツを所有する会員端末装置２００から、転送依頼を行なった会員端末装置２００にＰ２Ｐ配信させる
　してみると、「前記クライアント装置と前記プレイスシフトシステムとの接続」を「Ｐ２Ｐ接続」で行っている刊行物１発明の、上記「接続」を、「プロキシを介在させた、あるいは、前記サーバーが介在した接続」とすることは、当業者が容易になしえたことである。
　
（カ）効果
　以上のように、上記相違点は、当業者が容易に想到し得たものと認められ、本願発明全体としてみても格別のものはなく、その作用効果も、上記相違点に係る構成の採用に伴って当然に予測される程度のものにすぎず、格別顕著なものがあるとは認められない。
　
（キ）まとめ（独立特許要件）
　以上によれば、補正後発明は、刊行物１に記載された発明および、本願出願前周知の事項に基づいて当業者が容易に発明をすることができたものであるから、特許法第２９条第２項の規定により、特許出願の際独立して特許を受けることができない。
　
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３　本願発明について 
１．本願発明 
　平成２７年７月８日付けの手続補正は上記のとおり却下されたので、本願の請求項１ないし請求項２０に係る発明は、平成２６年１２月１９日付け手続補正書により補正された特許請求の範囲の請求項１ないし請求項２０に係る発明のとおりであるところ、そのうち、請求項１に係る発明（以下「本願発明」という。）は、特許請求の範囲の請求項１に記載された事項により特定される、以下のとおりのものである。
　
　　【請求項１】
　クライアント装置のユーザーが、ネットワークを介して、要求されたコンテンツを取得できる、サーバーによって実行可能な方法であって、前記方法が、
　前記サーバーにおいて、前記ネットワークを介して、複数のプレイスシフトシステムの各々から視聴可能なローカルコンテンツのリストを受信することと、
　前記サーバーによって、前記複数のプレイスシフトシステムの各々において視聴可能な前記ローカルコンテンツのデータベースを保持することと、
　前記クライアント装置の前記ユーザーからの前記要求されたコンテンツの要求を、前記ネットワークを介して前記サーバーにおいて受信することと、
　前記データベースから、前記要求されたコンテンツに対応するローカルコンテンツを有する前記プレイスシフトシステムの１つを特定することと、
　前記クライアント装置と前記プレイスシフトシステムとのプロキシを介在させた、あるいは、前記サーバーが介在した接続を、視聴者に関する追加的情報を要求することなく促進して、前記クライアント装置が前記ネットワークを介して前記プレイスシフトシステムから前記要求されたコンテンツを取得できるようにすることを含むことを特徴とする方法。
　
２．刊行物１の記載
　審査官が拒絶の査定で引用した刊行物１には、上記第２　２．（２−３）（イ）に示したとおりの事項が記載されている。
　
３．刊行物１記載の発明
　上記刊行物１には、上記第２　２．（２−３）（ウ）に示した、刊行物１発明が記載されている。
　
４．対比・判断
　本願発明は、前記第２　２．（２−３）ア．で認定した補正後発明から、上記第２　２．（２−２）で検討した付加して限定する構成を省いたものである。 
  
 　そうすると、本願発明を特定する事項をすべて含む補正後発明が、上記第２　２．（２−３）（オ）で述べたとおり、刊行物１の記載に基いて当業者が容易に発明をすることができたものであるから、本願発明も、同様の理由により、刊行物１の記載に基いて当業者が容易に発明をすることができたものである。 
　
５．むすび
　以上のとおり、本願発明は、刊行物１に記載された発明および本願出願前周知の事項に基づいて、当業者が容易に発明をすることができたものであるから、特許法第２９条第２項の規定により特許を受けることができない。
　したがって、残る請求項２ないし２０に係る発明について検討するまでもなく、本願は拒絶すべきものである。